(57)【特許請求の範囲】
【請求項１】
操作レバーを牽洩して容器内の液体を吸引、加圧、圧送するポンプと、このポンプによって吸引、加圧、圧送された液体を通過させる送給経路を有するボディと、このボディの先端部に配置され該送給経路を通り抜けた液体を外界へ向けて噴射する噴射ノズルとを備えたトリガー式液体噴出器であって、
前記噴射ノズルと前記ボディとの相互間に、前記送給経路を通り抜けた液体を通過させる内部通路を有し前記噴射ノズルの噴出口を前記送給経路の軸心に対して交差する向きに指向させて該噴射ノズルを前記ボディに回動可能に連結保持するエルボ継手を備え、
前記噴射ノズルは、前記エルボ継手との連結を司る本体部分を形成する筒体と、この筒体の先端部を嵌合させその先端に噴出口を有するノズル部材との二部材で構成され、
前記噴射ノズルおよび前記エルボ継手の何れとも別体に形成されて前記エルボ継手を覆い隠すカバーを備え、該カバーに、前記噴射ノズルの下向き姿勢でもって前記操作レバーの背部に位置して該操作レバーの牽曳を阻止するストッパーを設けたことを特徴とするトリガー式液体噴出器。
【請求項２】
前記エルボ継手と、前記ボディとの相互間に、前記噴射ノズルの回動による斜め上向き姿勢でもって前記ボディの送給経路と前記エルボ継手の内部通路とを連通させる切替弁を設けた、請求項１記載のトリガー式液体噴出器。
【発明の詳細な説明】
【技術分野】
【０００１】
本発明は、トリガー式液体噴出器に関するものであり、該噴出器によって噴出させる内容物の向きを変更して使い勝手のより一層の改善を図ろうとするものである。
【背景技術】
【０００２】
黴取り剤や洗剤、衣料用糊剤、住居用ワックス、整髪剤、芳香剤等の液体を入れた容器においては操作レバーを繰り返し牽曳することによって容器内の液体を霧状あるいは泡状にして噴出させるトリガー式の噴出器が多用されており、これにより液体の効率的な供給を可能にしている。
【０００３】
かかる液体噴出器は、噴射ノズルを取り付けたボディに、液体の吸引、加圧、圧送を司るポンプ機構が組み込まれており、ばね部材にて弾性支持された操作レバーにて該ポンプ機構を駆動する仕組みになっているが、通常、噴射ノズルの噴出口は、作業者と同じ方向へ向けて開口するように設計されているのが普通であり（例えば、特許文献１参照）、横方向や手前側に向けて内容物を噴射したい場合（浴槽や便器の洗浄等）には、作業者が手首をねじるなど不自然な格好をして操作レバーを牽曳する必要があり使い勝手がよいとはいえないものとなっていた。
【先行技術文献】
【特許文献】
【０００４】
【特許文献１】特許第３８３９１６３号明細書
【発明の概要】
【発明が解決しようとする課題】
【０００５】
本発明の課題は、内容物を通常の液体噴出器とは異なる向きへ噴射させることができる使い勝手のよいトリガー式液体噴出器を提案するところにある。
【課題を解決するための手段】
【０００６】
本発明は、操作レバーを牽洩して容器内の液体を吸引、加圧、圧送するポンプと、このポンプによって吸引、加圧、圧送された液体を通過させる送給経路を有するボディと、このボディの先端部に配置され該送給経路を通り抜けた液体を外界へ向けて噴射する噴射ノズルとを備えたトリガー式液体噴出器であって、
前記噴射ノズルと前記ボディとの相互間に、前記送給経路を通り抜けた液体を通過させる内部通路を有し、前記噴射ノズルの噴出口を前記送給経路の軸心に対して交差する向きに指向させて該噴射ノズルを前記ボディに回動可能に連結保持するエルボ継手を備え、
前記噴射ノズルは、前記エルボ継手との連結を司る本体部分を形成する筒体と、この筒体の先端部を嵌合させその先端に噴出口を有するノズル部材との二部材で構成され、
前記噴射ノズルおよび前記エルボ継手の何れとも別体に形成されて前記エルボ継手を覆い隠すカバーを備え、該カバーに、前記噴射ノズルの下向き姿勢でもって前記操作レバーの背部に位置して該操作レバーの牽曳を阻止するストッパーを設けたことを特徴とするトリガー式液体噴出器である。
【０００８】
また、エルボ継手とボディとの相互間には、前記噴射ノズルの斜め上向き姿勢でもって溝部を相互に一致させてボディの送給経路とエルボ継手の内部通路とを連通させる切替弁を形成しておくことができる。
【発明の効果】
【０００９】
噴射ノズルをエルボ継手を介してボディに回動可能に連結するとともに、噴射ノズルの噴出口を該送給経路の軸心に対して交差する向きに指向させておくことで内容物を前方へ向けて噴射させる通常の噴射とは異なる向きへの噴射（横方向、斜め上方あるいは上方向等）が可能となり、使い勝手が改善される。
【００１０】
また、噴射ノズルの噴出口が下方に向いたときに操作レバーの背部にストッパーを位置させることで操作レバーの不用意な牽曳による内容物の漏れ出しを回避し得る。
【００１１】
溝部を互い違いにしてボディの送給経路とエルボ継手の内部通路を不通にし、該溝部を相互に一致させて該送給経路と内部通路を連通させる切替弁を設けておくことで予め定められた角度でもって内容物を確実に噴射させることができる。
【図面の簡単な説明】
【００１２】
【図１】本発明にしたがうトリガー式液体噴出器の実施の形態を示した図である。
【図２】図１の平面を示した図である。
【図３】図１の正面を示した図である。
【図４】図１に示したトリガー式液体噴出器の使用状態を示した図である。
【発明を実施するための形態】
【００１３】
以下、図面を用いて本発明をより具体的に説明する。
図１は、本発明にしたがうトリガー式液体噴出器の実施の形態を側面で示した図であり、図２はその平面図、図３はその正面図である。
【００１４】
図における符号１は、容器の口部にねじ止めされ、液体噴出器を固定保持するキャップ（アンダーカットによる係合でもって固定保持されるものでもよい。）、２は、キャップ１の上端部において配置されたボディである。ボディ２は、ボディ本体２ａと、このボディ本体２ａの下端に位置するとともに、吸引管Ｓを嵌合保持する貫通孔を備えたインテイク２ｂおよびボディ本体２ａを内側に収めるシュラウド（カバー）２ｃから構成されている。ボディ本体２ａは、後述するエルボ継手との連結を行うための筒部２ａ１と、シュラウド２ｃとの連係を行うための連係部材２ａ２を備えている。
【００１５】
また、３は、ボディ本体２ａに形成され吸引管Ｓにつながる縦型経路、４は縦型経路３の上端につながり後述するポンプによって加圧、圧送された液体を噴射ノズルに向けて送り出す送給経路である。この送給経路４は前方へ向けて水平に延びた通路からなっている。
【００１６】
５は、縦型経路３の中に配置され、ポンプによって吸引された内容物の逆流を防止する弁体、６は、ボディ本体２ａの先端部に取り付けられたエルボ継手、７はエルボ継手６に取り付けられた噴射ノズルである。
【００１７】
上記エルボ継手６は、ボディ２（筒部２ａ１）の先端につながり該送給経路４の軸心Ｌに沿う通路を形成する横筒６ａと、この横筒６ａの通路に直交する向きでつながる通路を有し該横筒６ａに一体連結する縦筒６ｂからなっており、横筒６ａの環状溝部６ａ１にボディ本体２ａの筒部２ａ１の先端がアンダーカットの如き係合手段によって引きぬけ不能かつ回動可能に嵌合しており、縦筒６ｂの先端筒部６ｂ１が噴射ノズル７の筒体７ａにおいて引きぬけ不能に嵌合していて、これにより噴射ノズル７の噴出口ｈは、送給経路４の軸線Ｌに対して直交する向き（下向き）に指向している。
【００１８】
８は、ボディ本体２ａの外側壁に枢支軸Ｐを介して揺動可能に保持された操作レバー、９は、操作レバー８を牽曳することによって駆動可能なポンプである。
【００１９】
ポンプ９は、先端が開放され、ボディ本体２ａに一体的に設けられた筒状のシリンダー９ａと、このシリンダー９ａの内側で基端部をボディ本体２ａに一体連結し該シリンダー９ａとの相互間にて区画される環状の空間領域ｍをシリンダー室とする内筒９ｂと、シリンダー室内での往復移動を可能とするピストン９ｃと、このピストン９ｃを操作レバー８の背面での連結を可能とする枢軸９ｄと、シリンダー９ａの側壁に設けられ、ピストン９ｃのストロークエンドに向けた移動によって開放する大気導入開孔９ｅから構成されている。
【００２０】
操作レバー８は、ばね部材Ｅによって初期位置に戻ることができるように弾性支持されている。ばね部材Ｅとしては、三日月形状の長孔を有する板状部材が適用可能であって（操作レバー８の両側からピストン９ｃを挟み込むように二枚配置されている。）、その各一端が操作レバー８の側壁に設けられた連結ピンＰ１（図４参照）に長孔を通して連結しており、他端がボディ本体２ａの外側壁に連結している。ばね部材Ｅは、この例では、三日月形状の長孔を有する板状部材を用いた場合について説明したが、該ばね部材Ｅは、図示したものには限られず、種々の変更が可能であり、例えば、ピストン９ｃの内側に配置して該ピストン９ｃを介して操作レバー８を弾性支持するようにしてもよい。
【００２１】
さらに、１０は、シリンダー９ａと縦型通路３とをつなぐ連通路、１１は、縦型通路３内に配置された弁体である。この弁体１１は、弁部１１ａと、弁部１１ａを弾性支持するばね体１１ｂと、このばね体１１ｂ及び弁部１１ａを一体的に保持する基部１１ｃから構成され、ポンプ９により内容物を吸引するときに送給経路４を閉状態に維持するが、内容物を加圧、圧送するときはばね体１１ｂの弾性変位により弁体１１ａが押し上げられて該送給経路４を開放状態に維持する。
【００２２】
１２は、エルボ継手６の横筒６ａの内壁面に設けられた少なくとも一本の溝部（内壁面で周方向に沿って複数本設けることができる。）、１３は、ボディ本体２ａに設けられた少なくとも一本の溝部（実際には、ボディ本体２ａの筒部２ａ１の内側に設けられた凸部２ａ３の外周壁に設けられている。）である。溝部１２、１３は、図１に示すような初期姿勢にあっては、互い違いになっている（通路は不通になっている。）が、エルボ継手６を噴射ノズル７とともに回動させ該噴射ノズル７が所定の角度（例えば、十時方向、二時方向等、図３の仮想線、図４参照）到達したときに相互に一致しボディ２の送給経路４とエルボ継手６の内部通路が連通するようになっており、この溝部１２、１３によって切替弁を構成する。切替弁を構成する溝部１２、１３は予め決められた位置のみで連通して内容物の噴出を可能とするものが好適であり、そのための手段（位置決め手段）としては、図示はしないが、例えば、ボディ本体２ａの筒部２ａ２の外側壁に設けた少なくとも凸部を、エルボ継手６の内側壁に設けた凹部に入れ込むもの等が適用できる。凸部とこの凸部を入れ込む凹部は、間隔をあけて２つ程度設けるのが好ましい。
【００２３】
１４は、エルボ継手６を覆い隠すカバーである。このカバー１４は、カバー本体１４ａと、このカバー本体１４ａにつながるアーム１４ｂと、このアーム１４ｂの先端に一体連結するストッパー１４ｃからなり、噴射ノズル７の噴出口が下方に向けて指向している初期姿勢でもって操作レバー８とシリンダー９ａの相互間に位置して該操作レバー８の牽曳を阻止するもの（図１参照）であって、これにより内容物の不用意な噴出を防止する。
【００２４】
１５は、内容物の噴射形態を例えば、霧状、泡状に変更する噴出形態変更部材である。この噴出形態変更部材１５は、噴射ノズル７の前面に設けられており、該噴射ノズル７から噴射された内容物を通す開口を有するフレーム１５ａと、このフレーム１５ａの開口に面して突出する複数本の棒状体１５ｂにて構成され、該噴射ノズル７に枢軸１５ｃを介して揺動可能に支持されている。そして、噴出壁体変更部材１５を開放する退避状態で内容物を噴射させることで霧状に噴射し、噴出形態変更部材１５を噴射ノズル７の前面に位置せしめた閉状態で内容物を噴射させることで噴射にかかる内容物を棒状体１５ｂに衝突せしめて泡状にすることができるようになっている。なお、内容物の噴出形態の変更を要しない場合にあっては、噴出形態変更部材１５の配置は省略できる。
【００２５】
図４は、噴射ノズル７の噴出口ｈを二時の方向へ向けて回動させた状態を示した図である。上記の構成になる液体噴出器においては、通常の噴出器とは異なる向きへの噴射が可能であって、使用者が手首をねじる等の無理な体勢をとる必要がないため使い勝手が著しく改善される。
【００２６】
内容物の噴射が可能な角度については、任意に設定できるが、とくに噴射ノズル７の噴出口ｈが十時方向、二時方向に指向させたときに噴出させることができるようにしておくのが好ましい。
【００２７】
切替弁が開状態にあるか閉状態にあるかは噴射ノズル７の向きを確認するだけで容易に把握することが可能であるが、例えば、カバー１４と、ボディ２を覆うシュラウド２ｃのそれぞれに噴射可能、噴射不可能等の目印を設け、この目印に合わせてエルボ継手６を回動させてもよく、これにより内容物の不用意な噴出を確実に防止できる。
【００２９】
噴射ノズル７については、噴射ノズル７の本体部分（エルボ継手６との連結を司る部材）を形成する筒体７ａと、この筒体７ａの先端部を上内側において嵌合させその先端に噴出口ｈを有するノズル部材７ｂの二部材にて構成することが可能であり、各部材に溝部を設け、ノズル部材７ｂを筒体７ａの回りで適宜回動させるようにしてもよく、この場合、該溝部を互い違いにして内容物の噴射を不能とする一方、該溝部を相互に一致させて内容物の噴射が可能となる。
【００３０】
エルボ継手６については、送給経路４の軸心Ｌに対して９０°の角度でもって屈曲させたものを図示したが、該エルボ継手６の屈曲角度は、適宜変更することが可能であり、９０°の角度に限定されることはない。
【００３１】
また、図示はしないが該エルボ継手６の横筒６ａと縦筒６ｂとを蛇腹部材を介してつないでおき、該蛇腹部材を起点に横筒６ａと縦筒６ｂの角度を適宜変更することによりエルボ継手６の屈曲角度を変更してもよい。
【００３２】
本発明にしたがう噴出器は、ばね部材９ｃを含め、全ての部材を構成樹脂にて作製することが可能であり、噴出器の効率的な製造が行えるとともに、廃棄に際して分別回収を行う手間がかからない利点がある。
【産業上の利用可能性】
【００３３】
内容物を横方向、斜め上方あるいは上方等、通常の噴射方向とは異なる向きへの噴射が可能であり手首を不自然な体制で操作する必要のない使い勝手のよいトリガー式液体噴出器が提供できる。
【符号の説明】
【００３４】
１      キャップ
２      ボディ
２ａ    ボディ本体
２ｂ    インテイク
２ｃ    カバー
３      縦型経路
４      送給経路
５      弁体
６      エルボ継手
６ａ    横筒
６ｂ    縦筒
７      噴射ノズル
７ａ    筒体
７ｂ    ノズル部材
８      操作レバー
９      ポンプ
９ａ    シリンダー
９ｂ    内筒
９ｃ    ピストン
９ｄ    枢軸
９ｅ    大気導入開孔
１０    連通路
１１    弁体
１１ａ  弁部
１１ｂ  ばね体
１１ｃ  基部
１２    溝部
１３    溝部
１４    カバー
１４ａ  カバー本体
１４ｂ  アーム
１４ｃ  ストッパー
１５    噴出形態変更部材
１５ａ  フレーム
１５ｂ  棒状体
Ｌ      軸心
ｈ      噴出口
Ｐ      枢支軸
Ｐ１    枢支軸
ｍ      空間領域
Ｓ      吸引管
【図１】
0005638799.tif 000002
【図２】
0005638799.tif 000003
【図３】
0005638799.tif 000004
【図４】
0005638799.tif 000005